(57)【要約】【課題】  複数のノード間で光トラフィックを送信する光ネットワークに関して、光りネットワーク内のノード間の通信に用いられる光の波長資源を有効に利用する必要がある。【解決手段】  光ネットワークの複数のノードは光伝送路に沿って起端となる主査ノードと、終端となる終端ノードと、主査ノードと終端ノードの間にあるノードでネットワークグループを構成する。  ネットワークを保護する工程は、第１のファイバおよび第２のファイバによって接続された光ネットワークの一連のノードを経由してネットワークグループを構築する工程を含む。  光ネットワークグループを構成する光伝送路の障害が検出される。光ネットワークグループを構成する光伝送路に対応するプロテクション光伝送路が構築される。【選択図】図３
2006287936.tif 000002
【特許請求の範囲】
【請求項１】
第１のファイバで構成した第１の光ネットワークと第２のファイバで構成した第２の光ネットワークからなる光ネットワークにおいて、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光り伝送路のプロテクション光伝送路を構築する
ことを特徴とする光ネットワーク。
【請求項２】
第１のファイバで構成した第１の光ネットワークと第２のファイバで構成した第２の光ネットワークからなる光ネットワークに該第１の光ネットワークと該第２の光りネットワークに光トラフィックを送信可能なノードにおいて、
該第１の光ネットワーク内の他のノードと第１の光ネットワークグループを構成するための信号を送信する手段と、
該第１の光ネットワークグループを構成する光伝送路の障害時は該第２の光ネットワークの光伝送路により該第１のネットワークグループの障害がある光伝送路のプロテクション光伝送路を構築する手段を
有することを特徴とするノード。
【請求項３】
請求項２において、障害時に該第１のファイバからの光りを該第２のファイバに折り返すためのスイッチを有することを特徴とするノード。
【請求項４】
請求項２において、障害時に該第１のファイバからの光りを該第２のファイバに折り返すためのスイッチを有し、
該スイッチは光りのレベルを制御する手段と光りのパスを切り替える手段を有することを特徴とするノード。
【請求項５】
第１のファイバで構成した第１の光ネットワークと第２のファイバで構成した第２の光ネットワークからなる光ネットワークのプロテクション方法において、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光伝送路のプロテクション光伝送路を構築する
ことを特徴とする光ネットワークのプロテクション方法。
【発明の詳細な説明】
【技術分野】
【０００１】
本発明は、全体として光ネットワークに関し、より詳細には、光通信ネットワークにおける光学的光進路（ライトトレイル）を保護するシステムおよび方法に関する。
【背景技術】
【０００２】
遠隔通信システム、ケーブルテレビシステム、およびデータ通信ネットワークは、光ネットワークを用いて、大量の情報を、遠隔地点間で迅速に伝達する。光ネットワークにおいては、情報は、光ファイバを通じて、光信号の形で伝達される。光ファイバは、極めて少ない信号強度の損失で長距離にわたって光信号を伝送することのできる細いガラスの撚り線から成る。
【０００３】
近年は、電気通信システムの使用の爆発的な増加が見られている。電気通信サービスに対する需要が大きくなり続けるにつれて、光ネットワークにとって、そのようなネットワーク上で通信される情報量の増加は、急速に大きな負担となっている。
【０００４】
しかしながら、新たなネットワークの追加または既存のネットワークの拡張は、非常にコストがかかるので、この問題の現実的な解決策ではない。よって、ネットワークリソースの効率的な使用が、光ネットワークの開発および運営において重要な目標となっている。
【０００５】
光ネットワークは、波長分割多重（ＷＤＭ）または高密度波長分割多重（ＤＷＤＭ）をしばしば使用して、送信容量を高めている。ＷＤＭおよびＤＷＤＭネットワークにおいて、数多くの光チャンネルが、各ファイバにおいて、互いに異なる波長で搬送される。
【０００６】
ネットワーク容量は、各ファイバにおける波長、言い換えればチャンネルの数、およびチャンネルの帯域幅、言い換えれば大きさに基づく。
【０００７】
ネットワークノードにおいてＷＤＭ挿入／分岐装置を使用することにより、合成信号全体が十分に多重分離されて、その構成要素チャンネルとすることができ、切り換えられる（挿入／分岐されるか、または通過される）。
【０００８】
そのようなネットワークにおいて、あるネットワークノードから他のネットワークノードへのトラフィックは、トラフィックがネットワーク上を通信される際の特定の波長にしばしば割り当てられる。
【０００９】
互いに異なるトラフィックストリームを互いに異なる波長に割り当てることによって、互いに異なるトラフィックストリーム間の干渉が防止される。
【００１０】
しかしながら、ある場合には、これではネットワークにおける効率が悪くなる。
【００１１】
例えば、特定の波長に割り当てられたトラフィックが波長に関連した帯域幅（容量）の大部分を典型的には使用しない場合には、効率が悪くなる。
【００１２】
即ち、特定のノード間でトラフィックを伝送するため、特定の波長を割り振るも、当該ノード間でバーストモードの伝送を行った場合、データ伝送を行っていない時間は割り付けた波長の光が有効に活用されていないことになる。
【００１３】
さらに、遠隔通信サービスに対する需要が増大を続けるのに伴い、光ネットワークへの依存度も増加している。光パスの障害は、保護技術によって対処することができる。例えば、プロテクション光パスを生成してトラフィックを搬送することができる。従って、プロテクション光パスを提供することは、光ネットワークの保護における重要な目標となっている。
【特許文献１】国際公開第０３／１０４８４９号パンフレット
【発明の開示】
【発明が解決しようとする課題】
【００１４】
本発明の目的は、光ネットワークの中に構成された光ネットワークグループを構成する光伝送路に障害が発生し場合にプロテクションパスを提供することを目的とする。
【課題を解決するための手段】
【００１５】
本発明は、上述した目的を達成するために以下の構成を採用する。
【００１６】
第１の手段として、第１のファイバで構成した第１の光ネットワークと第２のファイバで構成した第２の光ネットワークからなる光ネットワークにおいて、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光り伝送路のプロテクション光伝送路を構築する。
【００１７】
第２の手段として、第１のファイバで構成した第１の光ネットワークと第２のファイバで構成した第２の光ネットワークからなる光ネットワークに該第１の光ネットワークと該第２の光りネットワークに光トラフィックを送信可能なノードにおいて、
該第１の光ネットワーク内の他のノードと第１の光ネットワークグループを構成するための信号を送信する手段と、
該第１の光ネットワークグループを構成する光伝送路の障害時は該第２の光ネットワークの光伝送路により該第１のネットワークグループの障害がある光伝送路のプロテクション光伝送路を構築する手段を有する。
【００１８】
第３の手段として第２の手段において、障害時に該第１のファイバからの光りを該第２のファイバに折り返すためのスイッチを有する。
【００１９】
第４の手段として第２の手段において、障害時に該第１のファイバからの光りを該第２のファイバに折り返すためのスイッチを有し、
該スイッチは光りのレベルを制御する手段と光りのパスを切り替える手段を有することを特徴とするノード。
【００２０】
第５の手段として、第１のファイバで構成した第１の光ネットワークと第２のファイバで構成した第２の光ネットワークからなる光ネットワークのプロテクション方法において、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光伝送路のプロテクション光伝送路を構築する。
【発明の効果】
【００２１】
本発明によれば、光ネットワーク内の光伝送路に沿って複数のノードからなるネットワークのグループを構成し、グループ内のノードが固定的に割付けられた波長で、それぞれ、光トラフィックを送信することができ、特定ノード間で行われる通信がバーストモードの通信の時に、光ネットワーク内で使用される光の波長を効率的に利用することができる。
【００２２】
これらの光ネットワークにおいて、光ネットワークグループを構成する光伝送路のパスに障害が発生した場合にプロテクションパスを張ることができる。
【発明を実施するための最良の形態】
【００２３】
光通信ネットワークにおいて光学的な光進路（ライトトレイル）を実施するためのシステムおよび方法を提供する。
【００２４】
光進路（ライトトレイル）とは、特定波長で複数のノードが一つの波長を共有して伝送を行うシェアードウェーブレングスを行うためのネットワークグループとなり、そのネットワークグループの起端と成るノードと終端となるノード間の光伝送路内の共有波長の光路を意味する。
【００２５】
一実施形態において、数多くのノード間の多重化された波長において光トラフィックを搬送する光ネットワークが提供される。光ネットワークの中に、波長のうちの１つに関連し、光進路の起端となる主査ノードと光進路の終端となる終端ノードとの間に確立された少なくとも１つの光進路の中に１つまたはそれ以上の介在ノードを含むネットワークのグループを構成する。
【００２６】
また、光ネットワークは、光進路とは異なる波長に関連する帯域外制御チャンネルを含む。各ノードは制御チャンネルを使用して、制御メッセージを通信し、光進路を確立すると共に、主査ノードおよび介在ノードによる光進路の使用を割り当てる。具体的には、各ノードは終端のノードからの光進路の利用の割り当て（使用権）に従い光進路を利用するか、各ノードからの使用要求により光進路を利用する。
【００２７】
主査ノード、１つまたはそれ以上の介在ノード、および終端ノードは、それぞれ、数多くの多重化された波長において光トラフィックを光ネットワークから受信し、多重化された光トラフィックの第１のコピーを光ネットワークから分岐し、多重化された光トラフィックの第２のコピーを光ネットワーク上で転送するように動作可能である。
【００２８】
また、これらのノードは、分岐された第１のコピーの選択された波長において光トラフィックを転送して、ノードに関連した１つまたはそれ以上のクライアント装置への通信に供する。
【００２９】
さらに、ノードは、ノードの１つまたはそれ以上のクライアント装置から受信されたトラフィックを１つまたはそれ以上の波長におけるクライアント光トラフィックに変換し、クライアント光トラフィックを第２のコピーまたは第２のコピーの修正版に受動的に挿入して結合された信号を形成し、結合された信号をネットワークへ転送する。
【００３０】
本発明のある実施形態の技術的利点には、光ネットワーク上で送信リソースを使用するための効率的な手法が含まれる。より特定的には、本発明の特定の実施形態において、光ネットワークのノードは、１つまたはそれ以上の他のノードを含む光学的な「光進路（ライトトレイル）」を確立して、光トラフィックの送信に供することができる。
【００３１】
そのような光進路は、光進路に含まれるノードのグループによって共有されて、トラフィックを光進路に含まれる他のノードへ送信することができる。そのような光進路の使用により、光ネットワークにおいて情報をより効率的に通信することができるだろう。
【００３２】
なぜならば、数多くのノードが、光進路が確立している波長によって提供された帯域幅を共有できるからである。
【００３３】
光通信ネットワークにおける光学的光進路（ライトトレイル）を保護するためのシステムおよび方法を提供する。一実施形態によれば、ネットワークを保護する工程は、第１のファイバおよび第２のファイバによって接続された光ネットワークの一連のノードを経由して光進路（ライトトレイル）を構築する工程を含む。トラフィックは、１コネクションが一連のノードのソースノードから一連のノードのうちの１個またはそれ以上の宛先ノードへトラフィックを通信するように動作可能な、光進路（ライトトレイル）の複数のコネクションを通じて通信される。光進路（ライトトレイル）の障害が検出される。光進路（ライトトレイル）に対応するプロテクション光進路（ライトトレイル）が構築される。複数のコネクションのトラフィックが、このプロテクション光進路（ライトトレイル）を経由して通信される。
【００３４】
本発明の特定の実施形態の技術的利点は、光ネットワークにおける障害に対処するのに有効な技術を含んでいる可能性がある。より具体的には、本発明の特定の実施形態では、光進路（ライトトレイル）は、トラフィックを搬送中の多数のコネクションをサポートすることができる。光進路（ライトトレイル）が故障した場合、プロテクション光進路（ライトトレイル）を生成することができる。プロテクション光進路（ライトトレイル）は、多数のコネクションのトラフィックを搬送することができる。プロテクション光進路（ライトトレイル）は多数のコネクションのトラフィックを搬送することができるので、このようなプロテクション光進路（ライトトレイル）の利用によって、光ネットワークがより効果的に保護される結果がもたらされる可能性がある。
【００３５】
本発明の種々の実施形態が列挙した技術的利点のうちのいくつかまたは全部を含んでいても、それらを一切含んでいなくてもよいことが分かるであろう。さらに、本発明の他の技術的利点は、本明細書に含まれる図面、説明、および特許請求の範囲から、当業者には容易に明らかとなり得る。
【００３６】
図１から図３に、プロテクション光進路（ライトトレイル）を構築することのできる光ネットワーク１０を示す。光ネットワーク１０は、光リング２０に接続された複数のノード１４を含む。運用時、ノード１４は、複数の波長のうちの１つの上で、光リング２０上のトラフィックを送受信する。ノード１４は、現用光進路（ライトトレイル）３０のような光進路（ライトトレイル）の上の光トラフィックを、コネクション３２のような複数のコネクションを通じて、光進路（ライトトレイル）の他のノード１４へ伝送することができる。ノード１４間のスパンの故障の場合、プロテクション光進路（ライトトレイル）３４のようなプロテクション光進路（ライトトレイル）を構築し、複数のコネクションを介して伝送されたトラフィックを再ルーティングすることができる。
【００３７】
図１に、光ネットワーク１０を示す。図示の実施形態によれば、ネットワーク１０は、その内部でいくつかの光チャネルが共通の伝送媒体の上を異なる波長で搬送される光ネットワークを備える。例えば、ネットワーク１０は、波長分割多重（ＷＤＭ）ネットワーク、高密度波長分割多重（ＤＷＤＭ）ネットワーク、他の適した多チャネルネットワーク、または前述のネットワークの任意の適した組み合わせとすることができる。ネットワーク１０は、短距離大都市圏ネットワーク、長距離都市間ネットワーク、他の適したネットワーク、または前述のネットワークの任意の適した組み合わせの全部もしくは一部を表すことができる。ネットワーク１０は、必要に応じて、単一の一方向ファイバ、単一の双方向ファイバ、または複数の一方向もしくは双方向のファイバを含むことができる。図１にはリングネットワーク１０の特定の実施形態および構成を示しているが、ネットワーク１０は、任意の適切な方法で構成された任意の適切な数のノード１４を含むことができる。例えば、網形、線形、または他の適した種類の光ネットワークを、本発明に従って用いることができる。
【００３８】
図示の実施形態によれば、ネットワーク１０は、光リング２０を含む。光リング２０は、１、２、．．．、６のラベルを付けた、複数であるｎ個のノード１４ａ〜１４ｆを光学的に接続する一対の一方向ファイバ、第１のファイバ１６および第２のファイバ１８を備える。第１のファイバ１６は、トラフィックを時計回り方向に伝送し、第２のファイバ１８は、トラフィックを反時計回り方向に伝送する。ファイバは、光ファイバなどの、信号を伝送するように動作可能な任意の適したファイバを指すことができる。時計回り方向に経由させてトラフィックを伝送することができる一連のｋ個のノード１４、ｋ≦ｎは、（１、２、．．．、ｋ）ＣＷで表すことができ、反時計回り方向に経由させてトラフィックを伝送することができる一連のｋ個のノード１４は、（１、ｎ、ｎ−１、．．．、ｋ）ＣＣＷで表すことができる。
【００３９】
光トラフィックは、ノード１４間を伝搬する。本明細書において使用するネットワークの「トラフィック」は、ネットワーク内で伝送、格納、またはソートされる情報を指す。そのようなトラフィックは、リアルタイムもしくは非リアルタイムの音声データ、ビデオデータ、テキストデータ、マルチメディアデータ、他の適したデータ、または前述のデータの任意の適した組み合わせを符号化するために変調された少なくとも１つの特性を有する光信号を含むことができる。変調は、位相シフトキーイング（ＰＳＫ）、強度変調（ＩＭ）、または他の適した手法に基づくことができる。さらに、トラフィックによって搬送される情報は、任意の適した方法で構成することができる。以下の説明は光フレーム形式で光リング２０上のトラフィックを通信するネットワーク１０の一実施形態に焦点を当てているが、ネットワーク１０は、フレーム形式、パケット形式、または他の適切な方法で構成されたトラフィックを通信するように構成することができる。
【００４０】
ノード１４は、現用光進路（ライトトレイル）３０を構築し、現用光進路（ライトトレイル）３０上の一部または全部の光トラフィックを送信もしくは受信するように構成することができる。光進路（ライトトレイル）は、ファイバのうち光ネットワークのいずれか２個またはそれ以上のノードを接続している部分の光パスを指すことができる。光進路（ライトトレイル）の第１のノードは、「主査ノード」と呼ぶことができ、最後のノードは、「終端ノード」と呼ぶことができる。光進路（ライトトレイル）のノードは、必要に応じて、光進路（ライトトレイル）を共有し、該光進路（ライトトレイル）と関連する波長上で、光進路（ライトトレイル）の他のノードへ情報を伝送する。従って、光進路（ライトトレイル）は、光波長回線、または光パスの拡張とみなすことができる。光進路（ライトトレイル）は、１つのノードから別のノードへ通信されるトラフィックに対する波長の割り当てに関連する効率の悪さに対処するものである。さらに、光進路（ライトトレイル）通信は、光マルチキャスティングおよび動的プロビジョニングを可能にする。
【００４１】
光進路（ライトトレイル）は、光進路（ライトトレイル）を構築する一連のノードで示すことができる。例えば、ｋ個のノード１４を有する光進路（ライトトレイル）は、（１、２、…、ｋ）ＣＷで表すことができる。図示の実施形態では、時計周り方式に１から５のラベルを付けた一連のノード１４が現用光進路（ライトトレイル）３０を構築しており、従って、現用光進路（ライトトレイル）３０は、（１、２、…、５）ＣＷで表すことができる。
【００４２】
光進路（ライトトレイル）３０は、複数のコネクション３２を有することができる。コネクションは、１個のソースノード１４および１個またはそれ以上の宛先ノード１４を含み、かつ中間ノード１４を含まないかもしくは１個、またはそれ以上の中間ノード１４を含む経路を指すことができる。ソースノード１４は、もし存在する場合、中間ノード１４を経由し、コネクション３２を通じて、１個またはそれ以上の宛先ノード１４へトラフィックを伝送する。一般に、１個のソースノード１４が、トラフィックを一度に伝送する。もし存在する場合、中間ノード１４は、コネクション３２をリスンすることはできるが、一般に、１個またはそれ以上の宛先ノード１４のみが、コネクション３２のトラフィックを取り出すことができる。光マルチキャスティングは、多数のノードを宛先ノードとして指定することによって提供することができる。
【００４３】
ｋ個のノード１４を有する光進路（ライトトレイル）は、Ｎ（１、．．．、ｋ）ＣＷが連なり（１、．．．、ｋ）ＣＷ内のノード数を示す
【００４４】
【数１】
2006287936.tif 000003
で表される、１回につき２通りが得られるｋ個の組み合わせによって得られるソース−宛先のペア数を有することがでる。従って、ｋ個のノード１４を有する光進路（ライトトレイル）は、ソース−宛先のペア間に、
【００４５】
【数２】
2006287936.tif 000004
のコネクションをサポートすることができる。例えば、５個のノード１４を有する現用光進路（ライトトレイル）３０は、ソース−宛先のペア間に、最大１０のコネクション３２を有することができる。
【００４６】
ノード１４は、ノード１４が光進路（ライトトレイル）を実現することを可能にする特定の性質を有することができる。一例を挙げれば、これらの性質には、ノードの素子が受信したトラフィックに分岐と転送の両方が実行され、該トラフィックが光進路（ライトトレイル）に沿って進み続けることを可能にする分岐・続行機能が含まれる。別の例を挙げれば、ノードは、パワー、電気、または可動部品を使用する光スイッチを用いることなく受動的にトラフィックを挿入することができる。さらに別の例を挙げれば、データにつながっている帯域内制御チャネルだけではなく、帯域外の制御チャネルを用いることができる。
【００４７】
ノード１４は、光進路（ライトトレイル）３０を使用して、複数のクライアントポートを介してノード１４に接続された複数のクライアント装置（図示せず）間の通信を促進する。クライアント装置には、パーソナルコンピュータ（ＰＣ）、電話、ファクス送受信機、ハードドライブ、ウェブサーバ、他の適切な通信装置、または前述したものの任意の適した組み合わせを含めることができる。ノード１４は、ノード１４に接続されたクライアント装置から受信した電気信号に基づいて、１つまたはそれ以上の波長で光トラフィックを生成することができ、かつ該トラフィックを、光リング２０上で伝播中の光トラフィックに挿入することができる。トラフィックは、パワー、電気、または可動部品を使用する光スイッチを用いることなく、受動的に挿入することができる。
【００４８】
ノード１４は、光リング２０からトラフィックを受信し、該ノード１４のクライアント装置向けのトラフィックを分岐することもできる。ノード１４は、該ノード１４の一部であるかまたはそれに接続された任意の適切な構成要素にトラフィックのコピーを伝送することによって該トラフィックを分岐することができ、それと同時に、該トラフィックがノード１４を下り続けることをも可能にする。ノード１４は、該ノード１４がトラフィックを受信するように構成された特定の波長で受信したトラフィックを分岐して電気的に変換し、他の波長で受信したトラフィックについては分岐も廃棄も行わない。
【００４９】
ノード１４は、制御メッセージを交換して、光進路（ライトトレイル）を開始、管理、および終了することができる。制御メッセージは、光ネットワーク１０の構成要素間で制御信号を交換することのできる光監視チャネル（ＯＳＣ）または他の帯域外制御チャネルを用いて通信することができる。特定の実施形態では、ＯＳＣは、信号制御専用とすることのできる１つまたはそれ以上の波長を表す。代替的に、ＯＳＣは、信号制御専用とすることのできる光リング２０の別個のファイバを表すこともできる。特定の実施形態によれば、特定の光進路（ライトトレイル）と関連する制御信号は、ＯＳＣ上を、該光進路（ライトトレイル）のトラフィックの方向に、該光進路（ライトトレイル）のトラフィックの方向とは反対の方向に、もしくは両方向に伝送することができる。
【００５０】
光ネットワーク１０によって使用される１つまたはそれ以上の波長上に多数の光進路（ライトトレイル）３０を構築することができ、かつ多数の非重複光進路（ライトトレイル）３０が、特定の時刻に共通の波長上に存在することができる。光進路（ライトトレイル）と関連する２つの段階のアービトレーションがある。第１の段階では、特定の要求を満たすように光進路（ライトトレイル）を構築、終了するか、またはそのような大きさとする（すなわち、長くするか短くする）ことができる。第２の段階では、光進路（ライトトレイル）の使用が、該光進路（ライトトレイル）のノードに割り当てられる。ノードには、任意の適した割り当て技法に従って、帯域幅を割り当てることができる。例えば、帯域幅は、所定の規則、経験則、帯域幅割り当てアルゴリズム、総当たり手法、競売手法、ノード優先順位、または力学的手法に従って割り当てることができる。
【００５１】
本発明の一実施形態によれば、現用光進路（ライトトレイル）３０のファイバがトラフィックを伝送することができない場合、現用光進路（ライトトレイル）３０のコネクションの一部または全部に対して、プロテクション光進路（ライトトレイル）を提供することができる。例えば、ファイバ切断がある場合、ファイバは、トラフィックを伝送することができない可能性がある。本実施形態によれば、プロテクション光進路（ライトトレイル）を構築し、コネクション用の代替ルートを提供することができる。プロテクション光進路（ライトトレイル）は、故障した光進路（ライトトレイル）の残部を用いることができ、これにより、故障した光進路（ライトトレイル）からプロテクション光進路（ライトトレイル）へ移動する際の光スイッチングを最小限度に抑えることができる。
【００５２】
本発明の範囲を逸脱することなく、光ネットワーク１０に修正、追加、削除を行うことができる。光ネットワーク１０の構成要素は、特定の必要性に応じて、統合または分離することができる。さらに、光ネットワーク１０の運用は、より多い、より少ない、または他の構成要素によって行うこともできる。さらに、光ネットワーク１０の運用は、ソフトウェア、ハードウェア、他の論理、または前述のものの任意の適した組み合わせを備える任意の適した論理を用いて行うことができる。
【００５３】
図２に、光ネットワーク１０のスパンの障害を示す。スパンは、ノード間の１本またはそれ以上のファイバの一部分を指すことができる。スパンｉは、ノードｉとノードｉ＋１との間のスパンを表すことができる。スパンは、該スパンがトラフィックを伝送するように動作可能でない場合、障害を有している可能性がある。一実施形態によれば、スパンは、少なくとも１本のファイバがトラフィックを伝送するように動作可能でない場合、障害を有している可能性がある。例えば、スパンは、該スパンの１本またはそれ以上のファイバにファイバ切断がある場合、障害を有している可能性がある。スパンｉｆは、障害のある故障したスパンを表すことができる。図示の実施形態によれば、ノード２とノード３との間のスパン２は、故障したスパンである。
【００５４】
図３に、このスパンの障害に応じたプロテクション光進路（ライトトレイル）３４の生成を示す。障害が検出されると、現用光進路（ライトトレイル）３０のコネクション３２によって搬送されたトラフィックを伝送するために、プロテクション光進路（ライトトレイル）３４が構築される。プロテクション光進路（ライトトレイル）３４は、ラップアラウンド光進路（ライトトレイル）のみならず、当初の現用光進路（ライトトレイル）３０の残部をも含む。
【００５５】
図示の実施形態によれば、プロテクション光進路（ライトトレイル）３４は、セグメント３６を含む。セグメント３６は、残存セグメント３６ａおよび３６ｃならびにラップアラウンドセグメント３６ｂを含むことができる。残存セグメントは、依然としてトラフィックを伝送するように動作可能な、故障したスパンの当初の光進路（ライトトレイル）の残部を指すことができる。上流残存セグメントは、故障したスパンの上流にある残存セグメントを指すことができ、下流残存セグメントは、故障したスパンから下流にある残存セグメントを指すことができる。ラップアラウンドセグメントは、プロテクション光進路（ライトトレイル）用に生成された、故障したスパンに対するループバックパスを指すことができる。図示の実施形態によれば、残存セグメント３６ａは、セグメント（１、．．．、ｉｆ）ＣＷを含み、残存セグメント３６ｃは、セグメント（ｉｆ＋１、．．．、ｋ）ＣＷを含む。Ｐ（１、．．．、ｋ）ｃｗで表すことができるラップアラウンドセグメント３６ｂは、新たなセグメント（ｉｆ、．．．、ｉｆ＋１）ＣＣＷを含む。
【００５６】
プロテクション光進路（ライトトレイル）３４は、光進路（ライトトレイル）３０の
【００５７】
【数３】
2006287936.tif 000005
のコネクション３２からトラフィックを伝送することができる。残存セグメント３６ａ内にソースノード１４を有しかつ残存セグメント３６ｃ内に宛先ノード１４を有するコネクション３２は、ラップアラウンドセグメント３６ｂを経由してルーティングすることができる。残存セグメント３６ａ内にソースノード１４を有しかつ残存セグメント３６ａ内に宛先ノード１４を有するコネクション３２は、残存セグメント３６ａを経由してルーティングすることができる。同様に、残存セグメント３６ｃ内にソースノード１４を有しかつ残存セグメント３６ｃ内に宛先ノード１４を有するコネクション３２は、残存セグメント３６ｃを経由してルーティングすることができる。
【００５８】
本発明の範囲を逸脱することなく、プロテクション光進路（ライトトレイル）３４を構築する方法に修正、追加、または削除を行うことができる。本方法は、より多い、より少ない、または他のステップを含むことができる。さらに、各ステップは、本発明の範囲を逸脱することなく、任意の適した順序で実行することができる。
【００５９】
図４は、図３のプロテクション光進路（ライトトレイル）３４に沿ってトラフィックをルーティングするために用いることのできるプロテクションスイッチ３８の一実施形態を示すブロック図である。図示の実施形態によれば、プロテクションスイッチ３８ｘはノード１４ｘに配置され、ここで、ｘ＝ａ、ｂ、．．．、ｆであり、それぞれ、ラベル付きノード１、２、．．．、６とする。上流から障害までのノード１４は、故障したスパンの上流にあるノード１４を指すことができ、障害から下流のノード１４は、故障したスパンの下流にあるノード１４を指すことができる。図示の実施形態によれば、それぞれ２、１のラベルを付けたノード１４ｂ、１４ａが上流から障害までのノード１４であり、それぞれ５、４、３のラベルを付けたノード１４ｅ、１４ｄ、１４ｃが障害から下流のノード１４である。
【００６０】
プロテクションスイッチ３８は、いくつかの適した状態のいずれかにあることができる。例えば、プロテクションスイッチ３８は、現用ポート接続（ＷＰＣ）状態、プロテクションポート接続（ＰＰＣ）状態、デュアルポート接続（ＤＰＣ）状態、他の適した状態、または前述の状態の任意の組み合わせにあることができる。伝送側で現用ポート接続状態では、実質的に全ての伝送トラフィックが現用光進路（ライトトレイル）に提供される。受信側では、実質的に全ての受信トラフィックが現用光進路（ライトトレイル）から受信される。伝送側でプロテクションポート接続状態では、実質的に全ての伝送トラフィックがプロテクション光進路（ライトトレイル）に提供される。伝送側では、実質的に全ての受信トラフィックがプロテクション光進路（ライトトレイル）から受信される。
【００６１】
デュアルポート接続状態では、受信トラフィックまたは発信トラフィックは、現用光進路（ライトトレイル）とプロテクション光進路（ライトトレイル）とに同時に結合されるか、もしくはそれらから分割される。伝送側では、トラフィックが分割され、２つのコピーが生成される。一方のコピーは現用光進路（ライトトレイル）に提供され、他方のコピーはプロテクション光進路（ライトトレイル）に提供される。伝送側デュアルポート接続状態は、ＤＰＣ−ａｄｄ（挿入）モードと呼ぶことができる。受信側では、現用光進路（ライトトレイル）またはプロテクション光進路（ライトトレイル）から受信したトラフィックが結合され、そのノードに提供される。受信側デュアルポート接続状態は、ＤＰＣ−ｄｒｏｐ（分岐）モードと呼ぶことができる。
【００６２】
スパンｉｆにおけるスパン障害に応答し、故障したスパンｉｆ上流の上流から障害までのノード１、．．．、ｉは、伝送側でＤＰＣ−ａｄｄ（挿入）モードへのそれらのプロテクションスイッチ３８を構成する。プロテクションスイッチ３８は、ラップアラウンドセグメント３６ｂおよび残存セグメント３６ａにトラフィックのコピーを提供する。従って、上流から障害までのノードは、ラップアラウンドセグメント３６ｂを経由して、障害から下流のノードに通信することができる。
【００６３】
故障したスパンｉｆ下流の障害から下流のノードｉ＋１、．．．、ｋは、受信側でＤＰＣ−ｄｒｏｐ（分岐）モードへのそれらのプロテクションスイッチ３８を構成する。プロテクションスイッチ３８は、現用光進路（ライトトレイル）またはプロテクション光進路（ライトトレイル）から受信したトラフィックを結合する。従って、障害から下流のノードは、ラップアラウンドセグメント３６ｂおよび下流残存セグメント３６ｃを介して受信された上流残存セグメント３６ａのノードからのトラフィックを取り出すことができる。
【００６４】
図５Ａおよび図５Ｂは、ＤＰＣ−ａｄｄ（挿入）モードおよびＤＰＣ−ｄｒｏｐ（分岐）モードでのプロテクションスイッチ３８の例を示す図である。図示の実施形態によれば、プロテクションスイッチ３８は、時計回り方向のファイバ１６、反時計回り方向のファイバ１８、およびノード１４に接続されている。プロテクションスイッチ３８は、任意の適した光スイッチを備えることができる。例えば、プロテクションスイッチ３８は、３ポートのマッハツェンダ干渉計（ＭＣＩ）をベースとするスイッチを備えることができる。このスイッチは、２つの入出力ポートに接続された１つの入出力ポートを有することができる。すなわち、このスイッチは、１×２スイッチとすることができる。３ポート間のスイッチングは、様々な出力比で行うことができる。
【００６５】
図５Ａに、ＤＰＣ−ａｄｄ（挿入）モードでのプロテクションスイッチ３８の例を示す。このモードでは、プロテクションスイッチ３８は、時計回り方向のファイバ１６および反時計回り方向のファイバ１８にトラフィックのコピーを提供する。図５Ｂに、ＤＰＣ−ｄｒｏｐ（分岐）モードでのプロテクションスイッチ３８の例を示す。このモードでは、プロテクションスイッチ３８は、時計回り方向のファイバ１６または反時計回り方向のファイバ１８から受信したトラフィックを結合する。
【００６６】
図６は、プロテクション光進路（ライトトレイル）を構築するために光ネットワーク内で用いることができるノードの特定の実施形態を示すブロック図である。一例を挙げれば、このノードは、図１のリングネットワーク１０の例のノード１４として用いてもよく、プロテクション光進路（ライトトレイル）を構築するための任意の他の種類のネットワーク内のノードとして用いてもよい。
【００６７】
図示の実施形態によれば、ノード４８は、伝送素子５０ａおよび５０ｂ、分配／結合素子８０ａならびに８０ｂ、管理素子１１０、分岐素子１３０、挿入素子１４０、バーストポンダ１５０、およびスイッチング素子１６０を含む。伝送素子５０は、ファイバ１６およびファイバ１８にトラフィックを挿入しかつそれらからトラフィックを分岐する。より具体的には、伝送素子５０は、ノード４８に接続された他のノードおよび装置間を光信号で搬送されたトラフィックの特定の部分を通信するために、ファイバ１６およびファイバ１８上を伝播中の光信号の１つまたはそれ以上のコピーを生成することができる。
【００６８】
伝送素子５０は、ファイバ１６およびファイバ１８にトラフィックを挿入するのに適した構成要素を含むことができる。トラフィックは、ノード４８によって生成するか、もしくは伝送素子５０によってノード４８のクライアント装置から受信することができる。一例を挙げれば、伝送素子５０は、挿入素子１４０から受信したトラフィックを関連するファイバ上を伝播中のトラフィックに挿入するカプラ６０ｂを含むことができる。伝送素子５０は、ファイバ１６およびファイバ１８からトラフィックを分岐するのに適した構成要素も含むことができる。一例を挙げれば、伝送素子５０は、トラフィックを２つのコピーに分割し、トラフィック一方のコピーを分岐素子１３０に、他方のコピーを関連するファイバに転送するカプラ６０ａを含むことができる。２つのカプラ６０ａおよび６０ｂが各伝送素子５０用に示されているが、特定の実施形態は、トラフィックの挿入と分岐の両方を行う単一のカプラを含むことができる。そのような単一のカプラは、例えば、波長遮断装置５４を含まない特定の実施形態に用いることができる。
【００６９】
図示の実施形態によれば、伝送素子５０は、ファイバ１６およびファイバ１８上を伝播中の特定の波長のトラフィックを終了させるように構成された波長遮断装置（ＷＢＵ）５４を含むことができる。その結果、その意図された１つの宛先または複数の宛先によってすでに受信されているトラフィックを、後続のノード４８で終了させることができる。ＷＢＵ５４は、特定の波長を動的に遮断しかつ他の波長を通過させる機能を提供するように任意の適切な方法で構成された１つまたはそれ以上の適した構成要素を備えることができる。一例を挙げれば、ＷＢＵ５４は、ＷＢＵ５４で受信された任意の特定の波長または波長のセットを出力するように動作可能な波長選択スイッチ（ＷＳＳ）を表すことができる。
【００７０】
別の例を挙げれば、ＷＢＵ５４は、一連のスイッチで接続された光多重分離装置および光多重装置を含む構造を表すことができる。そのような実施形態では、多重分離装置は、信号をその構成チャネルに多重分離することができる。次いで、各スイッチによって受信された制御信号に基づいて各チャネルを選択的に終了するかまたは多重装置へ転送するように、スイッチを動的に構成することができる。チャネルは、多重装置によって受信され、ＷＤＭ光信号に多重化され、その後下流の素子に転送される。
【００７１】
別の例を挙げれば、ＷＢＵ５４は、適切な波長上のトラフィックのみをファイバ１６上またはファイバ１８上に転送することができるように同調された同調可能フィルタの集合を表すことができる。そのような実施形態では、ＷＢＵ５４のカプラは、ＷＢＵ５４に入力された光信号を受信して該光信号を複数のコピーに分割し、それと同時に、これらのコピーの各々を、特定の同調可能フィルタに伝送することができる。次いで、各同調可能フィルタが、特定の波長でまたは特定の波長帯域内で伝播中のトラフィックを選択的に通過させ、かつ他の波長で伝播中のトラフィックを遮断することができる。次いで、各同調可能フィルタは、関連する１つまたは複数の波長で伝播中の通過したトラフィックを、ＷＢＵ５４の出力カプラに転送する。次いで、出力カプラが、種々の同調可能フィルタの出力を結合して出力ＷＤＭ光信号を生成し、該出力光信号を、ＷＢＵ５４から下流の構成要素に転送する。
【００７２】
伝送素子５０は、ファイバ１６およびファイバ１８、他のノード、ネットワーク１０内に構築されたあらゆる光進路（ライトトレイル）、または光ネットワーク１０の任意の他の適した素子もしくは機能の状態ならびに動作に関する情報をノード４８が送受信することができるようにする適切な構成要素を含むことができる。詳細には、各ノード４８は、ノード４８が光監視チャネル（ＯＳＣ）上のメッセージを受信しかつ伝送することを可能にする素子を含むことができる。図示の実施形態では、各伝送素子５０が、そのそれぞれのファイバ１６またはファイバ１８からの流合光信号を処理するＯＳＣ入口フィルタ６６ａを含んでいる。ＯＳＣフィルタ６６ａは、光信号からＯＳＣ信号を濾波し、該ＯＳＣ信号を、それぞれのＯＳＣ受信機１１２へ転送する。ＯＳＣフィルタ６６ａは、残った光信号を伝送素子５０の他の構成要素へ転送することをも行う。
【００７３】
各伝送素子５０は、関連するＯＳＣ送信機１１６からのＯＳＣ信号を関連するファイバ１６上またはファイバ１８上を伝播中の光信号に挿入し、結合された信号をファイバ１６上もしくはファイバ１８上の下流に位置する素子に転送する、ＯＳＣ出口フィルタ６６ｂをも含む。挿入されたＯＳＣ信号は、局所的に生成されたデータであってもよく、ノード４８によって受信されかつ管理素子１１０を通過したＯＳＣデータであってもよい。伝送素子５０は、信号を増幅しかつ該信号を関連するカプラ６０ａへ転送する増幅器６４を含むことができる。増幅器６４は、状況に応じて省いてもよい。
【００７４】
分配／結合素子８０は各々、分岐信号分配器８２および挿入信号結合器８４を備えることができる。分配器８２は、受信光信号を各々が特定の分岐リード線８６上を伝播することになる複数のコピーに分割することのできる任意の適切な構成要素または構成要素の集合を表すことができる。特定の実施形態では、分配器８２は、１本の光ファイバ入口リード線および分岐リード線８６として機能する複数本の光ファイバ出口リード線に接続されたカプラを備えることができる。例えば、１つの分配器８２が４本の分岐リード線８６に接続されている場合、分配器８２は、各々個別に２×４の光カプラを備えることができ、その場合、一方の入口リード線が終端し、他方の入口リード線がファイバセグメントを介してカプラ６０に接続され、４本の出口リード線が分岐リード線８６として用いられる。分岐リード線８６は、ノード４８の特定のローカルポートに関連する分岐素子１３０に接続することができる。図示の実施形態には１本の分岐リード線８６に接続された分配器８２を示しているが、分配器８２は、任意の適切な数の分岐リード線８６に接続することができる。
【００７５】
結合器８４は、複数の光信号を結合して単一の出力信号とすることのできる任意の適切な構成要素または構成要素の集合を表すことができる。特定の実施形態では、結合器８４は、挿入リード線８８として機能する多数の光ファイバ入口リード線、および１本の光ファイバ出口リード線を有するカプラを備えることができる。例えば、結合器８４が４本の入口リード線に接続されている場合、結合器８４は、２×４の光カプラを備えることができ、その場合、一方の出口リード線が終端し、他方の出口リード線がファイバセグメントを介してカプラに接続され、４本の入口リード線が挿入リード線８８を備える。挿入リード線８８は、ノード４８の特定のポートと関連する挿入素子１４０に接続することができる。図示の実施形態には１本の挿入リード線８８に接続された結合器８４を示しているが、結合器８４は、任意の適切な数の挿入リード線８８に接続することができる。
【００７６】
分岐素子１３０は、各々が分配器８２によって生成された光信号の各コピーから異なる波長内のトラフィックを分離することのできるフィルタ１００を通して、バーストポンダ１５０のポートを、分配／結合素子８０の出力に選択的に接続する。その結果、分岐素子１３０は、ファイバ１６およびファイバ１８からの特定の波長のトラフィックを、バーストポンダ１５０の特定のポートに出力することができる。挿入素子１４０も、バーストポンダ１５０の特定のポートを、結合／分配素子８０に接続する。
【００７７】
分岐素子１３０および挿入素子１４０は、それぞれ、分岐スイッチ１３２および挿入スイッチ１４２、または他の適した構成要素を含み、バーストポンダ１５０の関連するポートを、ファイバ１６またはファイバ１８に選択的に接続することができる。特定の実施形態では、分岐スイッチ１３２は、分岐素子１３０がファイバ１６またはファイバ１８からの分岐信号を分岐素子１３０内に含まれたフィルタ１００に選択的に接続することを可能にすることができる。フィルタ１００は、選択されたファイバ上を特定の波長で伝播中のトラフィックがバーストポンダ１５０に出力されるように、特定の波長に同調させることができる。
【００７８】
代替的に、挿入スイッチ１４２を、分割された信号の各分岐用のカプラおよびシャッタに置き換えてもよい。カプラは、関連する送信機１０４からの信号を分割することができ、シャッタは、該信号をファイバ１６に挿入するか、ファイバ１８に挿入するか、またはファイバ１６とファイバ１８の両方に挿入するかを制御することができる。その結果、分岐素子１３０および挿入素子１４０を用いて、ノード４８用のプロテクションスイッチングをサポートすることができる。代替的に、分岐素子１３０および挿入素子１４０の特定の実施形態では、分岐スイッチ１３２ならびに挿入スイッチ１４２をそれぞれ割愛し、バーストポンダ１５０の異なるポートを、ファイバ１６およびファイバ１８の各々に接続することができる。さらに、特定の実施形態では、ノード４８は、多数の分岐素子１３０、挿入素子１４０、または両方を含むことができ、この場合、各素子が、光ネットワーク１０によってサポートされた特定の波長と関連付けられる。
【００７９】
バーストポンダ１５０は、分岐素子１３０から受信した集中的または時間交互的な光トラフィックを、シームレスで連続的な電気トラフィックに変換し、ノード４８のクライアント装置に配信する。バーストポンダ１５０はまた、クライアント装置から受信した電気トラフィックを光トラフィックに変換し、ノード４８が光進路（ライトトレイル）を使用する際に、バーストでファイバ１６またはファイバ１８上に伝送する。すなわち、バーストポンダ１５０は、ノード４８のクライアント装置に対して波長がシームレスで連続的に使用可能であるという印象をノード４８が生成しながら、ノード４８が光進路（ライトトレイル）を時分割方式で使用することを可能とする。
【００８０】
バーストポンダ１５０は、任意の適切な数の受信機１０２および送信機１０４を含むことができる。受信機１０２は、光信号を受信し、これらの光信号に基づいて電気信号を生成するように動作可能である。受信機１０２の出力は、１つまたはそれ以上のバッファ（図示せず）に格納し、適時にスイッチング素子１６０に送信することができる。
【００８１】
送信機１０４は、電気信号を受信し、これらの電気信号に基づいてバースト状の光信号を生成するように動作可能である。バーストポンダ１５０の特定のポートは、そのポートと関連する特定の送信機１０４に電気トラフィックを渡すことができる。送信機１０４は、この電気トラフィックからバースト状の光トラフィックを生成し、該送信機１０４と関連する特定の挿入素子１４０へ該光トラフィックを伝送することができる。送信機１０４は、特定の波長で光トラフィックを生成するように同調させることができるか、もしくは固定波長で伝送することができる。さらに、バーストポンダ１５０は、ノードが光進路（ライトトレイル）の使用を許可される際のような適時に送信機１０４に入力されることになるスイッチング素子１６０からの電気トラフィックを格納する１つまたはそれ以上のバッファを含むことができる。ノード４８は別のノード４８が共用光進路（ライトトレイル）を使用しているためにトラフィックを受信したときに該トラフィックを伝送することができないかもしれないので、バッファリングは、有益となる可能性がある。
【００８２】
スイッチング素子１６０は、バーストポンダ１５０によって出力された電気トラフィックをノード４８の適切なクライアント装置に伝送しかつノード４８のクライアント装置から受信した電気トラフィックをバーストポンダ１５０の適切なポートに伝送するように動作可能な、任意の適切な１つの構成要素または複数の構成要素を表すことができる。電気トラフィックは、パケット形式、フレーム形式、データグラム形式の情報、任意の他の適切な形式に構成された他の情報、または前述の情報の任意の組み合わせを含むことができる。特定の実施形態では、スイッチング素子１６０は、レイヤ２（Ｌ２）スイッチを備える。そのような実施形態では、Ｌ２スイッチは、そのパケットに含まれるヘッダに基づいて各パケットを交換し、該パケットを、バーストポンダ１５０の適切なポートに接続されたＬ２スイッチのポートに配送することができる。図４ではスイッチング素子１６０がノード４８の一部として示されているが、スイッチング素子１６０は、ノード４８から物理的に分離していてもよい。
【００８３】
管理素子１１０は、ＯＳＣ受信機１１２、ＯＳＣインターフェース１１４、ＯＳＣ送信機１１６、および素子管理システム（ＥＭＳ）を備えることができる。各ＯＳＣ受信機１１２、ＯＳＣインターフェース１１４、およびＯＳＣ送信機１１６のセットが、ノード４８のファイバ１６またはファイバ１８のうちの１つに対するＯＳＣ装置を形成する。ＯＳＣ装置はＥＭＳ１２４向けのＯＳＣ信号を送受信する。ＥＭＳ２１４は、ネットワーク管理システム（ＮＭＳ）１２６に通信可能に接続することができる。
【００８４】
管理システムは、ＥＭＳ１２４、ＮＭＳ１２６、または両方を指すことができる。管理システムは、媒体に符号化した論理を備え、ネットワークまたはノード、もしくはネットワークとノードの両方のモニタリング、故障検出、プロテクションスイッチングならびに光ネットワーク１０のループバックテスト機能またはローカルテスト機能を実行することができる。論理は、ソフトウェア、ハードウェアに符号化した命令、または両方の組み合わせを指すことができる。ソフトウェアは、メモリのようなディスクまたは他のコンピュータ可読媒体に符号化することができる。命令は、特定用途向け集積回路（ＡＳＩＣ）、書替え可能ゲートアレイ（ＦＰＧＡ）、または他のプロセッサもしくはハードウェアに符号化することができる。
【００８５】
特定の実施形態では、管理システムは、生成、伝送、受信、処理、または前述の機能の任意の適した組み合わせを実行し、光進路（ライトトレイル）の構築、運用、および終了と関連するメッセージを制御することができる。管理システムの機能はネットワークの他の構成要素によって実行することも、別の方法で分散もしくは集中化することもできることが理解されよう。例えば、ＮＭＳ１２６の運用は、ノード４８のＥＭＳ１２４に割り当てることができ、その結果、ＮＭＳ１２６は、別個の離散素子として省くことができる。同様に、ＯＳＣ装置はＮＭＳ１２６と直接通信することができ、従って、ＥＭＳ１２４は省いてもよい。
【００８６】
ＥＭＳ１２４は、ノード４８内の素子をモニタまたは制御、もしくはモニタと制御の両方を行う。例えば、ＥＭＳ１２４は、送信機１０４、受信機１０２、およびＷＢＵ５４の動作を制御し、光進路（ライトトレイル）の構築および使用を容易にすることができる。素子を制御するために、ＥＭＳ１２４は、光ネットワーク１０の他のノード４８または他の構成要素によって伝送された制御メッセージを処理し、該制御メッセージに応答して、ノード４８の動作を調整することができる。図示の実施形態では、ＥＭＳ１２４は、ＯＳＣ受信機１１２およびＯＳＣフィルタ６６ａを介し、電気フォーマットで、ファイバ１６およびファイバ１８の各々からＯＳＣ信号を受信する。ＯＳＣ信号は、１つまたはそれ以上の多種類の制御メッセージを含むことができる。ＥＭＳ１２４は、信号を処理する機能、信号を転送する機能、信号を折り返す機能、または前述の機能の任意の適した組み合わせを実行することができる。ＥＭＳ１２４は、適切であれば、局所的に生成された制御メッセージまたは他の適した情報をＯＳＣに挿入しながらＯＳＣ送信機１１６およびＯＳＣフィルタ６６ｂを介してファイバ１６もしくはファイバ１８上の次のノードにＯＳＣ信号を再送信するように動作可能とすることができる。
【００８７】
ノード４８の特定の実施形態では、ＥＭＳ１２４は、ＷＢＵ５４の動作を制御し、主査ノード４８ａから受信したセットアップメッセージに応答して、特定のファイバ１６上またはファイバ１８上の特定の波長上に、光進路（ライトトレイル）を構築することができる。詳細には、ノード４８が要求された光進路（ライトトレイル）の中間ノードにあたる場合、ＥＭＳ１２４は、関連するファイバ上を特定の波長で伝播中の光信号がＷＢＵ５４を通過することができるようにＷＢＵ５４を構成することができる。ノード４８が光進路（ライトトレイル）の始点または終点のノード４８にあたる場合、ＥＭＳ１２４は、関連するファイバ上を特定の波長で伝播中の光信号を遮断するようにＷＢＵ５４を構成することができる。
【００８８】
さらに、ＥＭＳ１２４は、制御メッセージを生成し、光ネットワーク１０の他のノード４８または他の構成要素に伝送することもできる。例えば、ＥＭＳ１２４は、セットアップメッセージ、通告メッセージ、要求メッセージ、任意の他の適した種類の制御メッセージ、または前述のメッセージの任意の組み合わせと関連する電気信号を生成し、該電気信号を、ＯＳＣ送信機１１６に通信することができる。ＯＳＣ送信機１１６は、適切な制御メッセージを表す光信号を、関連する伝送素子５０に伝送することができる。次いで、必要に応じて、この制御メッセージを、ファイバ１６上またはファイバ１８上の光トラフィックに挿入することができる。
【００８９】
ＮＭＳ１２６は、光ネットワーク１０のノード４８のＥＭＳ１２４の一部または全部を表すことができる。ＮＭＳ１２６は、光ネットワーク１０のノード４８から情報を収集し、またノード４８によって伝送された制御メッセージを処理して光進路（ライトトレイル）使用の特定の局面を管理するように動作可能である。例えば、特定の実施形態では、ＮＭＳ１２６は、多数のノード４８が光進路（ライトトレイル）の使用を要求する際に、特定のノード４８を選択して光進路（ライトトレイル）上に伝送するように動作可能とすることができる。
【００９０】
ＮＭＳ１２６およびＥＭＳに関する説明では、特定の方法で機能がＮＭＳ１２６とＥＭＳ１２４との間で分割された特定の実施形態を記載している。代替的実施形態では、記載した機能を、任意の適切な方法で、ＮＭＳ１２６とＥＭＳ１２４との間で分散させることができる。さらに、図６に示すＮＭＳ１２６およびＥＭＳ１２４は、少なくとも部分的に、ノード４８内に配置された構成要素を表しているが、ＮＭＳ１２６、ＥＭＳ１２４、もしくは両方の一部または全部を、異なるノードもしくはノード４８の外部に配置することができる。
【００９１】
図６には示していないが、ノード４８は、ＥＭＳ１２４、ＮＭＳ１２６、光ネットワーク１０の他の構成要素、または前述の構成要素の任意の組み合わせ、光ネットワーク１０上の保護トラフィック用に用いられる波長割り当て計画を明記した情報、光ネットワーク１０の運用時に用いられる任意の他の適した情報、あるいは前述の情報の任意の組み合わせと関連するコードを格納するように動作可能なメモリを含むことができる。メモリは、ノード４８内に配置されるかまたはノード４８から物理的に分離した１つまたはそれ以上の記憶素子を表すことができる。さらに、メモリは、他のノード４８を含む光ネットワーク１０の他の構成要素と共用することができる。メモリは、コンピュータディスク、ハードディスクメモリ、ランダムアクセスメモリ（ＲＡＭ）、読み出し専用メモリ（ＲＯＭ）、または任意の他の適した記憶媒体を表すことができる。
【００９２】
運用時、伝送素子５０は、ファイバ１６およびファイバ１８からトラフィックを受信する。ファイバ１６およびファイバ１８から受信されたトラフィックは、ＯＳＣ信号を含む光信号を含むことができる。伝送素子５０のＯＳＣ入口フィルタ６６ａは、光信号からＯＳＣ信号を濾波し、該ＯＳＣ信号を、そのそれぞれのＯＳＣ受信機１１２に転送する。ＥＭＳ１２４は、ＯＳＣ信号の制御メッセージを処理し、該制御メッセージに応答して、ノード４８の動作を調整する。ＯＳＣ入口フィルタ６６ａは、残った伝送光信号を、関連する増幅器６４に転送する。増幅器６４は、信号を増幅し、該信号を関連するカプラ６０ａに転送する。カプラ６０ａは、増幅器６４からの信号を、ＷＢＵ５４に転送されるスルー信号と、分配／結合素子８０に転送されるドロップ信号との２つのコピーに分割する。ＷＢＵ５４は、スルー信号のチャネルを選択的に終了または転送する。
【００９３】
分配／結合素子８０は、ドロップ信号を１つまたはそれ以上のコピーに分割し、ドロップ信号のコピーを１つもしくはそれ以上の分岐素子１３０に転送する。バーストポンダ１５０は、分岐素子１３０の出力を受信する。バーストポンダ１５０の受信機１０２は、関連する分岐素子１３０から受信した信号を、連続的な電気トラフィックに変換する。次いで、各受信機１０２によって生成された電気トラフィックが、スイッチング素子１６０に出力される。スイッチング素子１６０は、任意の適切な方法でトラフィックをスイッチングし、ノード４８の適切なクライアント装置へのトラフィックの伝送を促進する。
【００９４】
スイッチング素子１６０はまた、スイッチング素子１６０に接続されたクライアント装置からシームレスで連続的な電気トラフィックを受信してこの電気トラフィックをスイッチングし、該電気トラフィックを、バーストポンダ１５０の適切なポートに通信する。バーストポンダ１５０の送信機１０４は、電気信号に基づいて光信号を生成し、該光信号を、関連する挿入素子１４０に送信する。挿入素子１４０の挿入スイッチ１４２は、挿入素子１４０を、ファイバ１６またはファイバ１８と関連する分配／結合素子８０の結合器８４に選択的に接続する。分配／結合素子８０は、光信号を、関連するファイバのカプラ６０ｂに転送する。
【００９５】
カプラ６０ｂは、関連するＷＢＵ５４の出力を、関連する結合器８４から受信したトラフィックと結合し、結合した信号を、増幅器６４を経由して、ＯＳＣ出口フィルタ６６ｂに転送することができる。ＯＳＣ出口フィルタ６６ｂは、関連するＯＳＣ送信機１１６からのＯＳＣ信号を、結合された光信号に挿入し、新たな結合信号を、出口トランスポート信号として、光ネットワーク１０の関連するファイバ１６またはファイバ１８に転送する。
【００９６】
本実施例の構成ではプロテクションスイッチ３８は光増幅器３０３、３０３’と光減衰器３０２、３０２’と光スイッチ３０１、３０１’から構成されている。当該プロテクションスイッチ３８は以下の接続関係になっている。
【００９７】
第１の光ファイバ１６からの光はカプラ６０aで分岐され、分配／結合素子８０に入力される。当該光りは分配／結合素子８０内の分配器８２で複数の信号に分岐される。分配器８２で分岐された光りはプロテクションスイッチ３８に入力される。プロテクションスイッチ３８に入力された光りは光増幅器３０３で増幅され、その増幅された光は光減衰器３０２により可変減衰される。この光増幅器３０１と光減衰器３０２の役目は、障害時にプロテクションパスを構成した際に、プロテクションパスは現用のパスの長さと異なる場合があるので光が目的とするノードに到達できるように所定の光パワーに制御するためのものである。必要に応じて光増幅器単体、または光減衰器単体のみを挿入する構成を選択することも可能である。光減衰器３０２からの出力は光スイッチ３０１に入力される。光スイッチ３０１は１入力２出力のスイッチで、出力の一方は終端され、他方は分配／結合素子８０に入力される。光スイッチ３０１は通常状態において終端側に光りを出力し、プロテクションパスを構成する場合は分配／結合素子８０側に光りを出力する。光スイッチ３０１からの光りは分配／結合素子８０内の結合器８４とカプラ６０ｂを経由して第２の光ファイバ１８に出力される。
【００９８】
第２の光ファイバ１８からの光はカプラ６０aで分岐され、分配／結合素子８０に入力される。当該光りは分配／結合素子８０内の分配器８２で複数の信号に分岐される。分配器８２で分岐された光りはプロテクションスイッチ３８に入力される。プロテクションスイッチ３８に入力された光りは光増幅器３０３’で増幅され、その増幅された光は光減衰器３０２’により可変減衰される。この光増幅器３０１’と光減衰器３０２’の役目は、障害時にプロテクションパスを構成した際に、プロテクションパスは現用のパスの長さと異なる場合があるので光が目的とするノードに到達できるように所定の光パワーに制御するためのものである。必要に応じて光増幅器単体、または光減衰器単体のみを挿入する構成を選択することも可能である。光減衰器３０２’からの出力は光スイッチ３０１’に入力される。光スイッチ３０１’は１入力２出力のスイッチで、出力の一方は終端され、他方は分配／結合素子８０に入力される。光スイッチ３０１’は通常状態において終端側に光りを出力し、プロテクションパスを構成する場合は分配／結合素子８０側に光りを出力する。光スイッチ３０１’からの光りは分配／結合素子８０内の結合器８４とカプラ６０ｂを経由して第２の光ファイバ１６に出力される。
【００９９】
本発明をいくつかの実施形態に関して説明してきたが、当業者には、種々の変更および修正を連想させることができる。本発明は添付の特許請求の範囲内に入る変更および修正を包含することが意図されている。
【０１００】
（付記１）
１．ネットワークを保護する方法であって、
第１のファイバおよび第２のファイバによって接続された光ネットワークの一連のノードを経由して光進路（ライトトレイル）を構築する工程と、
前記光進路（ライトトレイル）の複数のコネクションを通じてトラフィックを通信する工程であって、１コネクションは前記一連のノードの１個のソースノードからのトラフィックを該一連のノードの１個またはそれ以上の宛先ノードに通信するように動作可能である工程と、
前記光進路（ライトトレイル）に障害があることを検出する工程と、
前記光進路（ライトトレイル）に対応するプロテクション光進路（ライトトレイル）を構築する工程と、
前記複数のコネクションの前記トラフィックを前記プロテクション光進路（ライトトレイル）を通じて通信する工程とを含む方法。
【０１０１】
（付記２）  
前記光進路（ライトトレイル）に対応する前記プロテクション光進路（ライトトレイル）を構築する工程はさらに、
前記障害を含む故障したスパンを特定し、前記第１のファイバには、該障害から上流に上流残存セグメントが含まれ該障害から下流に下流残存セグメントが含まれているとする工程と、
前記第２のファイバの一部分から、前記故障したスパンのループバックパスを含むラップアラウンドセグメントを生成する工程と、
前記上流残存セグメント、前記ラップアラウンドセグメント、および前記下流残存セグメントから前記プロテクション光進路（ライトトレイル）を構築する工程とを含む、請求項１に記載の方法。
【０１０２】
（付記３）  
前記一連のノードは、第１の数のノードを含み、
前記複数のコネクションは、１回につき２通りが得られる前記第１の数の組み合わせに等しい第２の数のコネクションを含む、請求項１に記載の方法。
【０１０３】
（付記４）  
プロテクション光進路（ライトトレイル）を形成する工程は、前記故障したスパンの上流の１個またはそれ以上のノードの１つもしくはそれ以上のプロテクションスイッチを構成する工程をさらに含み、該構成されたスイッチは、
前記トラフィックを分割して該トラフィックの複数のコピーを生成し、
第１のコピーを前記上流残存セグメントに提供し、
第２のコピーを前記ラップアラウンドセグメントに提供するように動作可能である、請求項１に記載の方法。
【０１０４】
（付記５）  
プロテクション光進路（ライトトレイル）を形成する工程は、前記故障したスパンから下流の１個またはそれ以上のノードの１つもしくはそれ以上のスイッチを構成する工程をさらに含み、該構成されたスイッチは、
前記下流残存セグメントからトラフィックを受信し、
前記ラップアラウンドセグメントからトラフィックを受信し、
前記受信したトラフィックを結合するように動作可能である、請求項１に記載の方法。
【０１０５】
（付記６）  
前記プロテクション光進路（ライトトレイル）を通じて前記トラフィックを通信する工程はさらに、
前記上流残存セグメント内のあるソースノードを有しかつ前記下流残存セグメント内のある宛先ノードを有するコネクションを前記ラップアラウンドセグメントを経由してルーティングする工程を含む、請求項１に記載の方法。
【０１０６】
（付記７）  
前記プロテクション光進路（ライトトレイル）を通じて前記トラフィックを通信する工程はさらに、
前記上流残存セグメント内のあるソースノードおよび前記上流残存セグメント内のある宛先ノードを有するコネクションを前記上流残存セグメントを経由してルーティングする工程を含む、請求項１に記載の方法。
【０１０７】
（付記８）  
前記プロテクション光進路（ライトトレイル）を通じて前記トラフィックを通信する工程はさらに、
下流残存セグメント内のあるソースノードおよび前記下流残存セグメント内のある宛先ノードを有するコネクションを前記下流残存セグメントを経由してルーティングする工程を含む、請求項１に記載の方法。
【０１０８】
（付記９）  
ネットワークを保護する論理であって、該論理は媒体に具体化されており、かつ、
第１のファイバおよび第２のファイバによって接続された光ネットワークの一連のノードを経由して光進路（ライトトレイル）を構築し、
前記光進路（ライトトレイル）の複数のコネクションを通じてトラフィックを通信し、なお
１コネクションは前記一連のノードのソースノードから該一連のノードの１個またはそれ以上の宛先ノードへトラフィックを通信するように動作可能であり
前記光進路（ライトトレイル）に障害があることを検出し、
前記光進路（ライトトレイル）に対応するプロテクション光進路（ライトトレイル）を構築し、
前記複数のコネクションの前記トラフィックを前記プロテクション光進路（ライトトレイル）を通じて通信するように動作可能な論理。
【０１０９】
（付記１０）  
前記障害を含む故障したスパンを前記第１のファイバには前記障害から上流に上流残存セグメントが含まれ、該障害から下流に下流残存セグメントが含まれていると特定し、
前記第２のファイバの一部分から、前記故障したスパンのループバックパスを含むラップアラウンドセグメントを生成し、
前記上流残存セグメント、前記ラップアラウンドセグメント、および前記下流残存セグメントから前記プロテクション光進路（ライトトレイル）を構築すること
によって前記光進路（ライトトレイル）に対応する前記プロテクション光進路（ライトトレイル）を構築するようにさらに動作可能な、請求項９に記載の論理。
【０１１０】
（付記１１）  
前記一連のノードは、第１の数のノードを含み、
前記複数のコネクションは、１回につき２通りが得られる前記第１の数の組み合わせに等しい第２の数のコネクションを含む、請求項９に記載の論理。
【０１１１】
（付記１２）  
前記論理は、前記故障したスパンの上流の１個またはそれ以上のノードの１つもしくはそれ以上のプロテクションスイッチを構成することによってプロテクション光進路（ライトトレイル）を形成するように動作可能であり、該構成されたスイッチは、
前記トラフィックを分割して該トラフィックの複数のコピーを生成し、
第１のコピーを前記上流残存セグメントに提供し、
第２のコピーを前記ラップアラウンドセグメントに提供するように動作可能である、請求項９に記載の論理。
【０１１２】
（付記１３）  
前記論理は、前記故障したスパンから下流の１個またはそれ以上のノードの１つもしくはそれ以上のスイッチを構成することによってプロテクション光進路（ライトトレイル）を形成するように動作可能であり、該構成された前記スイッチは、
前記下流残存セグメントからトラフィックを受信し、
前記ラップアラウンドセグメントからトラフィックを受信し、
前記受信したトラフィックを結合するように動作可能である、請求項９に記載の論理。
【０１１３】
（付記１４）  
前記上流残存セグメント内のあるソースノードを有しかつ前記下流残存セグメント内のある宛先ノードを有するコネクションを前記ラップアラウンドセグメントを経由してルーティングすること
によって前記プロテクション光進路（ライトトレイル）を通じて前記トラフィックを通信するように動作可能な、請求項９に記載の論理。
【０１１４】
（付記１５）  
前記上流残存セグメント内のあるソースノードおよび前記上流残存セグメント内のある宛先ノードを有するコネクションを該上流残存セグメントを経由してルーティングすること
によって前記プロテクション光進路（ライトトレイル）を通じて前記トラフィックを通信するように動作可能な、請求項９に記載の論理。
【０１１５】
（付記１６）  
下流残存セグメント内のあるソースノードおよび前記下流残存セグメント内のある宛先ノードを有するコネクションを前記下流残存セグメントを経由してルーティングすること
によって前記プロテクション光進路（ライトトレイル）を通じて前記トラフィックを通信するように動作可能な、請求項９に記載の論理。
【０１１６】
（付記１７）  
複数の多重化波長内の光トラフィックを搬送するように動作可能な光ネットワークであって、該光ネットワークは、
一連のノードを含む複数のノードを含み、それらを経由して光進路（ライトトレイル）が構築され、該一連のノードは、第１のファイバおよび第２のファイバによって接続され、該複数のノードは、
前記光進路（ライトトレイル）の複数のコネクションを通じてトラフィックを通信するように動作可能であり、１コネクションは、前記一連のノードの１個のソースノードからのトラフィックを該一連のノードの１個またはそれ以上の宛先ノードに通信するように動作可能であり、
前記複数のノードの少なくとも１個のノードは、
前記光進路（ライトトレイル）に障害があることを検出し、
前記光進路（ライトトレイル）に対応するプロテクション光進路（ライトトレイル）を構築する
ように動作可能であり、前記複数のノードはさらに、
前記プロテクション光進路（ライトトレイル）を通じて前記複数のコネクションの前記トラフィックを通信するように動作可能である光ネットワーク。
【０１１７】
（付記１８）  
前記少なくとも１個のノードが、
前記障害を含む故障したスパンを前記第１のファイバには前記障害から上流に上流残存セグメントが含まれ、該障害から下流に下流残存セグメントが含まれていると特定し、
前記第２のファイバの一部分から、前記故障したスパンのループバックパスを含むラップアラウンドセグメントを生成し、
前記上流残存セグメント、前記ラップアラウンドセグメント、および前記下流残存セグメントから前記プロテクション光進路（ライトトレイル）を構築すること
によって前記光進路（ライトトレイル）に対応する前記プロテクション光進路（ライトトレイル）を構築するようにさらに動作可能な、請求項１７に記載のシステム。
【０１１８】
（付記１９）  
前記一連のノードは、第１の数のノードを含み、
前記複数のコネクションは、１回につき２通りが得られる前記第１の数の組み合わせに等しい第２の数のコネクションを含む、請求項１７に記載のシステム。
【０１１９】
（付記２０）  
前記少なくとも１個のノードは、前記故障したスパンの上流の１個またはそれ以上のノードの１つもしくはそれ以上のプロテクションスイッチを構成することによってプロテクション光進路（ライトトレイル）を形成するように動作可能であり、該構成されたスイッチは、
前記トラフィックを分割して該トラフィックの複数のコピーを生成し、
第１のコピーを前記上流残存セグメントに提供し、
第２のコピーを前記ラップアラウンドセグメントに提供する
ように動作可能である、請求項１７に記載のシステム。
【０１２０】
（付記２１）  
前記少なくとも１個のノードは、前記故障したスパンから下流の１個またはそれ以上のノードの１つもしくはそれ以上のスイッチを構成することによってプロテクション光進路（ライトトレイル）を形成するように動作可能であり、該構成されたスイッチは、
前記下流残存セグメントからトラフィックを受信し、
前記ラップアラウンドセグメントからトラフィックを受信し、
前記受信したトラフィックを結合するように動作可能である、請求項１７に記載のシステム。
【０１２１】
（付記２２）  
前記複数のノードは、
前記上流残存セグメントのあるソースノードを有しかつ前記下流残存セグメント内に１個の宛先ノードを有するコネクションを前記ラップアラウンドセグメントを経由してルーティングすること
によって前記プロテクション光進路（ライトトレイル）を通じて前記トラフィックを通信するように動作可能である、請求項１７に記載のシステム。
【０１２２】
（付記２３）  
前記複数のノードは、
前記上流残存セグメント内のあるソースノードおよび前記上流残存セグメント内のある宛先ノードを有するコネクションを該上流残存セグメントを経由してルーティングすること
によって前記プロテクション光進路（ライトトレイル）を通じて前記トラフィックを通信するように動作可能である、請求項１７に記載のシステム。
【０１２３】
（付記２４）  
前記複数のノードは、
下流残存セグメント内のあるソースノードおよび前記下流残存セグメント内のある宛先ノードを有するコネクションを該下流残存セグメントを経由してルーティングすることによって前記プロテクション光進路（ライトトレイル）を通じて前記トラフィックを通信するように動作可能である、請求項１７に記載のシステム。
【０１２４】
（付記２５）  
ネットワークを保護するシステムであって、
第１のファイバおよび第２のファイバによって接続された光ネットワークの一連のノードを経由して光進路（ライトトレイル）を構築する手段と、
前記光進路（ライトトレイル）の複数のコネクションを通じてトラフィックを通信する手段であって、１コネクションは前記一連のノードの１個のソースノードからのトラフィックを該一連のノードの１個またはそれ以上の宛先ノードへ通信するように動作可能である手段と、
前記光進路（ライトトレイル）に障害があることを検出する手段と、
前記光進路（ライトトレイル）に対応するプロテクション光進路（ライトトレイル）を構築する手段と、
前記複数のコネクションの前記トラフィックを前記プロテクション光進路（ライトトレイル）を通じて通信する手段とを含むシステム。
【０１２５】
（付記２６）  
ネットワークを保護する方法であって、
第１のファイバおよび第２のファイバによって接続された光ネットワークの一連のノードを経由して構築された光進路（ライトトレイル）を通じてトラフィックを通信する工程であって、該トラフィックが該第１のファイバを通じて上流から下流へ流れ、該一連のノードが第１の数のノードを含み、該光進路（ライトトレイル）が第２の数のコネクションをサポートするように動作可能であり、１コネクションが該一連のノードの
ソースノードから該一連のノードの１個またはそれ以上の宛先ノードへトラフィックを通信するように動作可能であり、該第２の数が１回につき２通りが得られる該第１の数の組み合わせに等しいものとする工程と、
前記光進路（ライトトレイル）に障害があることを検出する工程と、
前記障害を含む故障したスパンを前記第１のファイバには前記障害から上流に上流残存セグメントが含まれ、該障害から下流に下流残存セグメントが含まれていると構築する工程と、
前記第２のファイバの一部分から、前記故障したスパンのループバックパスを含むラップアラウンドセグメントを生成する工程と、
前記上流残存セグメント、前記ラップアラウンドセグメント、および前記下流残存セグメントからプロテクション光進路（ライトトレイル）を形成する工程であって、該プロテクション光進路（ライトトレイル）を形成する工程がさらに、
前記故障したスパンの上流の１個またはそれ以上のノードの１つもしくはそれ以上のプロテクションスイッチを構成する工程であって、該構成されたスイッチが、
前記トラフィックを分割して該トラフィックの複数のコピーを生成し、
第１のコピーを前記上流残存セグメントに提供し、
第２のコピーを前記ラップアラウンドセグメントに提供するように動作可能である工程と、
前記故障したスパンから下流の１個またはそれ以上のノードの１つもしくはそれ以上のスイッチを構成する工程であって、該構成されたスイッチが、
前記下流残存セグメントからトラフィックを受信し、
前記ラップアラウンドセグメントからトラフィックを受信し、
前記受信したトラフィックを結合するように動作可能である工程とを更に含む工程と、
前記コネクションの前記トラフィックを前記プロテクション光進路（ライトトレイル）を通じて通信する工程であって、
前記上流残存セグメント内に第１のソースノードを有しかつ前記下流残存セグメント内に第１の宛先ノードを有する第１のコネクションを前記ラップアラウンドセグメントを経由してルーティングし、
前記上流残存セグメント内の第２のソースノードおよび前記上流残存セグメント内の第２の宛先ノードを有する第２のコネクションを該上流残存セグメントを経由してルーティングし、
下流残存セグメント内の第３のソースノードおよび前記下流残存セグメント内の第３の宛先ノードを有する第３のコネクションを該下流残存セグメントを経由してルーティングすることによって通信する工程とを含む方法。
【０１２６】
（付記２７）  
第１のファイバで構成した第１の光ネットワークと第２のファイバで構成した第２の光ネットワークからなる光ネットワークにおいて、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光り伝送路のプロテクション光伝送路を構築する
ことを特徴とする光ネットワーク。
【０１２７】
（付記２８）
第１のファイバで構成した第１の光ネットワークと第２のファイバで構成した第２の光ネットワークからなる光ネットワークに該第１の光ネットワークと該第２の光りネットワークに光トラフィックを送信可能なノードにおいて、
該第１の光ネットワーク内の他のノードと第１の光ネットワークグループを構成するための信号を送信する手段と、
該第１の光ネットワークグループを構成する光伝送路の障害時は該第２の光ネットワークの光伝送路により該第１のネットワークグループの障害がある光伝送路のプロテクション光伝送路を構築する手段を
有することを特徴とするノード。
【０１２８】
（付記２９）
付記２８において、障害時に該第１のファイバからの光りを該第２のファイバに折り返すためのスイッチを有することを特徴とするノード。
【０１２９】
（付記３０）
付記２８において、障害時に該第１のファイバからの光りを該第２のファイバに折り返すためのスイッチを有し、
該スイッチは光りのレベルを制御する手段と光りのパスを切り替える手段を有することを特徴とするノード。
【０１３０】
（付記３１）
第１のファイバで構成した第１の光ネットワークと第２のファイバで構成した第２の光ネットワークからなる光ネットワークのプロテクション方法において、
該第１の光ネットワークと該第２の光ネットワーク上に複数のノードを設け、
該ノードは該第１の光ネットワークの光伝送路に沿って起端となる主査ノードと、終端となる終端ノードと、主査ノードと終端ノードの間にあるノードで第１のネットワークグループを構成することで該ノード間の通信を行い、
該第１の光ネットワークグループを構成する光伝送路の障害時は該第２の光ネットワークの光伝送路により該第１のネットワークグループの障害がある光伝送路のプロテクション光伝送路を構築する
ことを特徴とする光ネットワークのプロテクション方法。
【図面の簡単な説明】
【０１３１】
【図１】プロテクション光進路（ライトトレイル）を構築することのできる光ネットワークを示す図
【図２】プロテクション光進路（ライトトレイル）を構築することのできる光ネットワークを示す図
【図３】プロテクション光進路（ライトトレイル）を構築することのできる光ネットワークを示す図
【図４】図３のプロテクション光進路（ライトトレイル）に沿ってトラフィックをルーティングするために用いることのできるプロテクションスイッチの一実施形態を示すブロック図
【図５】ＤＰＣ−ａｄｄ（挿入）モードならびにＤＰＣ−ｄｒｏｐ（分岐）モードにおけるプロテクションスイッチの一例を示す図
【図６】プロテクション光進路（ライトトレイル）を構築するために光ネットワークにおいて用いることのできるノードの特定の実施形態を示すブロック図
【符号の説明】
【０１３２】
１０  光ネットワーク
１６  第１のファイバ
１８  第２のファイバ
１４  ノード
２０  光リング
３０  現用光進路（ライトトレイル）
３８  プロテクションスイッチ
８０  分配／結合素子
８４  結合器
８２  分配器
３８  プロテクションスイッチ
３０１、３０１’  光スイッチ
３０２、３０２’  光減衰器
３０３、３０３’  光増幅器
６０  カプラ
【図１】
2006287936.tif 000006
【図２】
2006287936.tif 000007
【図３】
2006287936.tif 000008
【図４】
2006287936.tif 000009
【図５】
2006287936.tif 000010
【図６】
2006287936.tif 000011